(57)【要約】【課題】一般的な糸を使用しても十分なストレッチ性を有し、伸縮することによりその外観が大きく変化して、優れた意匠性を付与することができる経編地を提供する。【解決手段】本発明に係る経編地１は、経方向に沿って表側に湾曲して突出したリブ状の表突条部２と、同じく経方向に沿って裏側に湾曲して突出したリブ状の裏突条部３とを緯方向に交互に複数列連続させた形状を備え、緯方向に沿った切断面の形状が波状となっている。表突条部２及び裏突条部３は、経方向に沿って外側に湾曲して突出し、且つ緯方向には収縮した状態となっているため、緯方向に極めて高いストレッチ性が発現される。【選択図】図１
2010285721.tif 000002
【特許請求の範囲】
【請求項１】
ダブルラッシェル編み機を用いて経編みされた経編地であって、
経方向に沿って表側に湾曲して突出したリブ状の表突条部と、
同じく経方向に沿って裏側に湾曲して突出したリブ状の裏突条部とを緯方向に交互に複数列連続させた形状を備え、
前記緯方向に沿った切断面の形状が波状に形成されてなることを特徴とする経編地。
【請求項２】
編地の経方向に沿った両側部に、平坦な耳部が編成されてなることを特徴とする請求項１記載の経編地。
【請求項３】
前記表突条部及び裏突条部がシングル鎖編み又はデンビメッシュ編みによって編成され、連続する表突条部の側縁と裏突条部の側縁とがダブル鎖編み又はデンビ編みによって経方向に繋ぎ編みされてなることを特徴とする請求項１記載の経編地。
【請求項４】
前記表突条部及び裏突条部がシングル鎖編み又はデンビメッシュ編みによって編成され、連続する表突条部の側縁と裏突条部の側縁とがダブル鎖編み又はデンビ編みによって経方向に繋ぎ編みされてなり、且つ前記耳部が前記繋ぎ編みと同じ編組織によって編成されてなることを特徴とする請求項２記載の経編地。
【発明の詳細な説明】
【技術分野】
【０００１】
本発明は、ダブルラッシェル機を用いて経編みされた経編地であって、経方向に比べて緯方向に大きなストレッチ性を備えた経編地に関する。
【背景技術】
【０００２】
従来、ダブルラッシェル機を用いて編成される、ストレッチを備えた経編地として、例えば、編糸として弾性糸を用いた筒状編地が知られている（特開２００１−３０３４１５号公報参照）。この筒状編地は、弾性糸の弾性作用によって、経方向及び緯方向の双方に伸縮性を有する。
【０００３】
また、この他に、編糸として捲縮糸を用いた経編地も知られている（特開２００５−２４８５号公報参照）。この編地は、弾性糸と同様、捲縮糸の弾性によって、伸縮性を備えたものとなる。
【先行技術文献】
【特許文献】
【０００４】
【特許文献１】特開２００１−３０３４１５号公報
【特許文献２】特開２００５−２４８５号公報
【発明の概要】
【発明が解決しようとする課題】
【０００５】
ところが、上記従来の経編地は、機能上それ相応のストレッチ性を有するものと思われるが、編地の外観は編組織がかもし出す単調なものであり、意匠的な面白みに欠けるものであった。
【０００６】
また、ストレッチ性を発現させるための弾性糸や捲縮糸は比較的高価であり、これを用いた編地も当然高価なものとなる。更に、弾性や捲縮を有する糸はその扱いが厄介で、編成時の調整に手間がかかるという問題もある。
【０００７】
本発明は、以上の実情に鑑みなされたものであって、一般的な糸を使用しても十分なストレッチ性を有し、しかも、伸縮することによりその外観が大きく変化して、優れた意匠性を付与することができる経編地の提供を、その目的とする。
【課題を解決するための手段】
【０００８】
上記目的を達成するための本発明は、ダブルラッシェル編み機を用いて経編みされた経編地であって、経方向に沿って表側に湾曲して突出したリブ状の表突条部と、同じく経方向に沿って裏側に湾曲して突出したリブ状の裏突条部とを緯方向に交互に複数列連続させた形状を備え、前記緯方向に沿った切断面の形状が波状に形成された経編地に係る。
【０００９】
かかる経編地は、フロント（表）側とバック（裏）側の２列の針床を有するダブルラッシェル編み機を用い、表側の針で所定幅のシングル鎖編み又はデンビメッシュ編み部（表側主編成部）を緯方向に所定間隔で編成する一方、裏側の針でも同様に、所定幅のシングル鎖編み又はデンビメッシュ編み部（裏側主編成部）を緯方向に所定間隔で編成し、更に、並列する当該裏側主編成部の位相が前記表側主編成部のそれに対して緯方向にシフトし、各裏側主編成部が、表側主編成部間の中間位置に位置するように編成するとともに、近接する表側の主編成部の側縁と裏側の主編成部の側縁とをダブル鎖編み又はデンビ編みによって経方向に繋ぎ編みすることによって得られる。
【００１０】
本発明者の経験的な知見によれば、ダブルラッシェル編み機を用いて、シングル鎖編み又はデンビメッシュ編みの編組織を編成すると、当該編地は経方向に沿って外側に湾曲するとともに、緯方向には収縮したものとなる。
【００１１】
したがって、上記編成方法によって得られる経編地は、表側主編成部が経方向に沿って表側に湾曲して突出し、緯方向には収縮したリブ状の表突条部を形成し、裏側主編成部も同様に、経方向に沿って裏側に湾曲して突出し、緯方向には収縮したリブ状の裏突条部を形成し、これにより、緯方向に沿った切断面の形状が波状を有するものとなる。
【００１２】
斯くして、このような経編地は、表突条部及び裏突条部が、経方向に沿って外側に湾曲して突出し、且つ緯方向には収縮した性状を有するが故に、経方向に比べて緯方向に極めて高いストレッチ性を備えたものとなっている。即ち、当該編地を緯方向に引っ張ると、前記表突条部及び裏突条部が緯方向に扁平状に変形することによって編地全体として緯方向に伸張され、作用させた荷重を取り除くと、前記収縮力によって緯方向に収縮し、元の状態に復するのである。
【００１３】
また、前記経編地は、上述したように、表突条部及び裏突条部がそれぞれ緯方向に収縮する性状を備えているので、それぞれの収縮作用によって、表側に形成される複列の表突条部はそれぞれの間隔が詰まった状態となり、同様に、裏側に形成される複列の裏突条部もそれぞれの間隔が詰まった状態となっている。したがって、表側から編地を観察した場合には裏突条部を視認し難く、逆に、裏側から編地を観察した場合には表突条部を視認し難くい状態となっている。
【００１４】
このような経編地を緯方向に引っ張ると、上述したように、表突条部及び裏突条部が緯方向に扁平状に変形して、表突条部間及び裏突条部間の間隔が開き、編地全体として緯方向に伸張されるが、その際、編地の表側から裏突条部を視認できるようになり、編地の裏側から表突条部を視認できるようになる。
【００１５】
したがって、例えば、表突条部を編成する糸の色と、裏突条部を編成する糸の色を異なる色にすれば、当該経編地が収縮状態にあるときには、表側からは表突条部の色のみが視認され、裏側からは裏突条部の色のみが視認されていたものが、当該経編地を緯方向に引っ張ることで、表側から裏突条部の縦縞模様が視認され、裏側からも同様に表突条部の縦縞模様が視認されるようになる。
【００１６】
このように、本発明に係る経編地によれば、これを緯方向に伸張させることによって、その外観が大きく変化するという優れた意匠性を付与することができる。
【００１７】
尚、本発明に係る経編地は、スポーツウエアなどの構成部品として使用することができるが、当該編地を縫製品として使用する場合には、当該経編地は、その経方向に沿った両側部に、平坦な耳部が編成されていることが好ましい。
【００１８】
本発明に係る経編地は、上述のように、表突条部及び裏突条部を有する立体形状を備えている。したがって、これをそのまま縫製に供すると、縫い合わせ時の編地の変形によって良好な縫製が行えなかったり、縫製皺が生じるといった不都合を生じる。
【００１９】
そこで、編地に上記耳部を編成することで、当該耳部上で縫製することができ、縫い合わせ時の編地の変形や縫製皺が生じるのを防止することができる。
【００２０】
尚、当該耳部は、前記繋ぎ編み部と同じ編組織によって編成されているのが好ましい。同じ編組織にすれば、ダブルラッシェル編み機のガイドバーを、耳部と繋ぎ編み部とで共用することができ、作業性の良いものとなる。
【００２１】
また、前記繋ぎ編み部と耳部とは、それぞれ、表側及び裏側の針を用いて編成される。
【発明の効果】
【００２２】
以上説明したように、本発明に係る経編地によれば、経方向に比べて緯方向に極めて高いストレッチ性を備えており、これを衣服に使用すると、フィット感を有しながら、運動性の良い衣服とすることができる。特に、表突条部及び裏突条部の編組織をデンビメッシュ編みにすれば、同部が通気性に優れたものとなるので、これをスポーツウエアなどに使用すれば、好適である。
【００２３】
また、本発明に係る経編地は、これを緯方向に伸張させることによって、その外観が大きく変化するので、優れた意匠性を付与することができる。更に、耳部を編成したものは、縫製を容易に行うことができる。
【図面の簡単な説明】
【００２４】
【図１】本発明の一実施形態に係る経編地を示す斜視図である。
【図２】図１における矢視Ａ−Ａ方向の断面図である。
【図３】図２における矢示Ｂ方向から見た図面である。
【図４】図２における経編地を緯方向に伸張させた図面である。
【図５】図４における矢示Ｄ方向から見た図面である。
【図６】本実施形態に係る経編地の使用例を説明するための説明図である。
【発明を実施するための形態】
【００２５】
以下、本発明の具体的な実施の形態について、図面を参照して説明する。
【００２６】
図１及び図２に示すように、本例の経編地１は、経方向（Ｗ方向）に沿って表側に湾曲して突出したリブ状の表突条部２，２．．．と、同じく経方向に沿って裏側に湾曲して突出したリブ状の裏突条部３，３．．．とを緯方向（Ｃ方向）に交互に複数列連続させた形状を備え、緯方向に沿った切断面の形状が波状を有し、更に、経方向に沿った編地の両側部に耳部４，４を備えたものである。
【００２７】
尚、図１及び図２においては、下側を経編地１の表面とし、上側を経編地１の裏面として図示している。
【００２８】
かかる経編地１は、フロント（表）側とバック（裏）側の２列の針床を有する公知のダブルラッシェル編み機を用いることで編成することができる。
【００２９】
即ち、ダブルラッシェル編み機の表側の針で所定幅のシングル鎖編み又はデンビメッシュ編み部（表側主編成部）５，５．．．を緯方向に所定間隔で編成する一方、裏側の針でも同様に、所定幅のシングル鎖編み又はデンビメッシュ編み部（裏側主編成部）６，６．．．を緯方向に所定間隔で編成し、更に、並列する裏側主編成部６の位相が前記表側主編成部５のそれに対して緯方向にシフトし、各裏側主編成部６が、表側主編成部５間の中間位置に位置するように編成するとともに、近接する表側主編成部５の側縁と裏側主編成部６の側縁とをダブル鎖編み又はデンビ編みによって経方向に繋ぎ編みし（繋ぎ編み部７）、編地の両側部に、繋ぎ編み部７，７．．．と同じ編組織で、それぞれ耳部４，４を編成することによって得られる。
【００３０】
尚、繋ぎ編み部７及び耳部４は、それぞれ、表側及び裏側の針を用いて編成される。
【００３１】
このようにして編成される経編地１は、上述したように、シングル鎖編み又はデンビメッシュ編みの編組織の部分、即ち、表側主編成部５及び裏側主編成部６が経方向に沿って外側に湾曲するとともに、緯方向には収縮するという性状を有するため、得られた経編地１は、表側主編成部５が経方向に沿って表側に湾曲して突出し、緯方向には収縮したリブ状の表突条部２を形成し、裏側主編成部６も同様に、経方向に沿って裏側に湾曲して突出し、緯方向には収縮したリブ状の裏突条部３を形成し、図１及び図２に示すように、緯方向に沿った切断面の形状が波状を有するものとなる。
【００３２】
斯くして、本例の経編地１は、表突条部２及び裏突条部３が、経方向に沿って外側に湾曲して突出し、且つ緯方向には収縮した性状を有しているため、緯方向に比べて緯方向に極めて高いストレッチ性を備えたものとなっている。
【００３３】
即ち、当該経編地１を緯方向に引っ張ると、図４に示すように、表突条部２及び裏突条部３が緯方向に扁平状に変形することによって編地全体として緯方向に伸張される。そして、作用させた荷重を取り除くと、前記収縮力によって緯方向に収縮し、元の状態に復するのである。
【００３４】
また、本例の経編地１は、上述したように、表突条部２及び裏突条部３がそれぞれ緯方向に収縮する性状を備えているので、それぞれの収縮作用によって、表側に形成される複列の表突条部２はそれぞれの間隔が詰まった状態となり、同様に、裏側に形成される複列の裏突条部３もそれぞれの間隔が詰まった状態となっている。したがって、表側から編地１を観察した場合には、裏突条部３を視認し難く、逆に、裏側から編地を観察した場合には、表突条部２を視認し難くい状態となっている。
【００３５】
例えば、図２に示すように、表突条部２、繋ぎ編部７及び耳部４に灰色の糸を使用し、裏突条部３にのみ白色の糸を使用したとすると、この編地１をその表側から見ると、図３に示すように、全体として、灰色に認識される。
【００３６】
そして、このような編地１を緯方向に引っ張ると、図４に示すように、表突条部２及び裏突条部３が緯方向に扁平状に変形して、表突条部２間及び裏突条部３間の間隔が開き、編地１全体として緯方向に伸張され、その際、図５に示すように、編地１の表側から裏突条部３が視認されるようになり、裏突条部３の白色部分と、表突条部２の灰色部分との縦縞模様が形成される。
【００３７】
このように、本例の経編地１によれば、これを緯方向に伸張させることによって、その外観（形状、色彩、模様）が大きく変化するという優れた意匠性を付与することができる。
【００３８】
また、図６に示すように、本例の経編地１は、スポーツウエア１０といった各種衣服の構成部品として使用することができるが、編地の両側部に耳部４を編成しているので、表突条部２及び裏突条部３といった立体形状を有していても、当該耳部４上で縫製を行うことで、縫い合わせ時の編地の変形や縫製皺が生じるのを防止することができる。
【００３９】
また、表突条部２及び裏突条部３の編組織をデンビメッシュ編みにすれば、同部が通気性に優れたものとなるので、かかる経編地１は、スポーツウエアに好適に用いることができる。尚、デンビメッシュ編みにする部位は、表突条部２と裏突条部３のいずれか一方としても、これら双方としてもいずれでも良い。
【００４０】
以上、本発明の一実施形態について説明したが、本発明の採り得る具体的な態様は、何らこれに限定されるものではない。
【００４１】
例えば、上例では、編地の両側部に耳部４を設けたが、特に必要がなければ、当該耳部４を設ける必要はない。
【００４２】
また、本発明に係る経編地に使用すことができる糸には何ら制限はなく、一般的な糸でも、或いは特殊な糸でも自由に用いることができる。
【産業上の利用可能性】
【００４３】
本発明に係る経編地によれば、緯方向に極めて高いストレッチ性を備えており、これを衣服に使用すると、フィット感を有しながら、運動性の良い衣服とすることができる。また、これを緯方向に伸張させることによって、その外観が大きく変化するので、優れた意匠性を付与することができ、更に、耳部を編成したものは、容易に縫製することができる。
【符号の説明】
【００４４】
１    経編地
２    表突条部
３    裏突条部
４    耳部
７    繋ぎ編部
【図１】
2010285721.tif 000003
【図２】
2010285721.tif 000004
【図３】
2010285721.tif 000005
【図４】
2010285721.tif 000006
【図５】
2010285721.tif 000007
【図６】
2010285721.tif 000008